(57)【特許請求の範囲】
【請求項１】
紙製パレットであって、複数の第１桁材と、複数の第２桁材を含み、
前記複数の第１桁材が、
垂直に交わる複数の第１凹溝と複数の第１折線をそれぞれ含む２つの第１外板体と、
前記第１外板体の間に位置し、前記第１外板体を連接する第１連接部と、
いずれか１つの前記第１外板体に連接された第１内板体と、
を含み、前記第１内板体を前記第１外板体に向かって折り曲げて第１支持部が形成され、前記第１外板体を前記第１折線に沿って折り曲げて２つの第１翼部が形成され、前記第１凹溝が２つの第１嵌合部を形成し、且つ前記第１支持部が前記第１翼部の間に位置し、前記第１連接部に緊密に当接され、
前記複数の第２桁材が、
垂直に交わる複数の第２凹溝と複数の第２折線をそれぞれ含む２つの第２外板体と、
前記第２外板体の間に位置し、前記第２外板体を連接する第２連接部と、
いずれか１つの前記第２外板体に連接された第２内板体と、
を含み、前記第２内板体を前記第２外板体に向かって折り曲げて第２支持部が形成され、前記第２外板体を前記第２折線に沿って折り曲げて２つの第２翼部が形成され、前記第２凹溝が２つの第２嵌合部を形成し、且つ前記第２支持部が前記第２翼部の間に位置し、前記第２連接部に緊密に当接され、そのうち前記第１嵌合部と前記第２嵌合部が相互に嵌合されて前記第１桁材と前記第２桁材を垂直に位置決めすることを特徴とする、紙製パレット。
【請求項２】
前記第１外板体と前記第２外板体の折りたたみ箇所を接着剤で接着したことを特徴とする、請求項１に記載の紙製パレット。
【請求項３】
前記第１外板体がさらに、前記第１凹溝に相隣し、かつ前記第１折線に垂直な複数の第１槽部を含み、前記第１外板体を前記第１折線に沿って折り曲げたとき、前記第１槽部が複数の第１固定槽を形成することを特徴とする、請求項１に記載の紙製パレット。
【請求項４】
前記第２外板体がさらに、前記第２凹溝に相隣し、かつ前記第２折線に垂直な複数の第２槽部を備え、前記第２外板体を前記第２折線に沿って折り曲げたとき、前記第２槽部が複数の第２固定槽を形成することを特徴とする、請求項１に記載の紙製パレット。
【請求項５】
前記第１桁材と前記第２桁材の表面にさらに防水性・撥水性を備えた保護層を設けたことを特徴とする、請求項１に記載の紙製パレット。
【請求項６】
前記第１桁材がさらに、前記第１翼部と前記第１支持部を結合して位置決めするために用いる複数の第１固定部材を含むことを特徴とする、請求項１に記載の紙製パレット。
【請求項７】
前記第２桁材がさらに、前記第２翼部と前記第２支持部を結合して位置決めするために用いる複数の第２固定部材を含むことを特徴とする、請求項１に記載の紙製パレット。
【請求項８】
前記第１翼部と前記第１支持部または前記第２翼部と第２支持部が、接着剤で結合されて位置決めされたことを特徴とする、請求項１に記載の紙製パレット。
【請求項９】
デッキボードを含み、前記第１桁材と前記第２桁材を相互に垂直に位置決めしてデッキ座部が形成され、前記デッキボードを前記デッキ座部の上に置き、物品の積載に用いることを特徴とする、請求項１に記載の紙製パレット。
【請求項１０】
前記第１桁材、前記第２桁材と前記デッキボードの表面にさらに強化層を設け、表面硬度を強化したことを特徴とする、請求項９に記載の紙製パレット。
【発明の詳細な説明】
【技術分野】
【０００１】
本発明はパレットに関し、特に、紙製パレットに関する。
【背景技術】
【０００２】
パレットは貨物の輸送において非常によく見受けられる補助用具であり、一般的な従来のパレットは、複数の交差する木片を釘で固定して組み立ててなり、その上部が貨物を置くために供するデッキ面であり、デッキ面の下方に足桁が設置され、デッキ面の高さを嵩上げし、貯蔵する貨物が地面に近すぎて湿気を受けることがないようにしたり、或いは運搬時にフォークリフトのフォークをパレットの底部に直接伸入させ、パレット全体を持ち上げて適切な場所に直接置くために便利であり、たとえばコンテナから下ろした後、倉庫の保管区域に直接置くことができる。
【０００３】
しかしながら、従来の木製パレットは重量が比較的重く、運搬時に力が必要なため、市場にはすでに多くのその他材質の応用があり、たとえばプラスチック類や軽金属類のパレットなどが続々と開発され、使用されている。そして、近年の環境保護意識の高まりに鑑みて、すでに紙製パレットが出現しており、紙製パレットは主にリサイクル紙を利用して製造されている。その利点としては材質が軽く、リサイクルして再製造することができ、環境保護のニーズを満たせるほか、その他材質のパレットと比較して、紙製パレットの生産コストはもっと低いといった点がある。
【０００４】
しかしながら、一般に紙製パレットは手作業に頼って単独製作する必要があり、その使用寿命が比較的短く、強度がやや弱いために積載重量にも限りがあるため、紙製パレットの構造は通常比較的複雑であり、機械で一定品質を維持しながら連続生産、大量製作をすることができず、市場には構造が簡単で積載能力に優れた設計がほとんどない。このため、関連産業は積載能力に優れ、構造が簡単であり、機械で大量生産が可能で、コストを抑え、品質を管理できる紙製パレットの開発を必要としている。
【発明の概要】
【発明が解決しようとする課題】
【０００５】
これに鑑みて、本発明の目的は、構造が簡単で組み立てに便利にであり、機械での連続的な生産が可能なため、製作コストと組み立て時間を節約することができる、紙製パレットを提供することにある。
【課題を解決するための手段】
【０００６】
本発明の紙製パレットは、複数の第１桁材と複数の第２桁材を含み、前記第１桁材が２つの第１外板体、第１連接部、第１内板体を備え、そのうち、各第１外板体が垂直に交わる複数の第１凹溝と複数の第１折線を含み、第１連接部が２つの第１外板体の間に位置し、且つ２つの第１外板体を連接しており、第１内板体がいずれか１つの第１外板体に連接され、前記第１内板体を第１外板体に向かって折り曲げて第１支持部が形成され、第１外板体を第１折線に沿って折り曲げて２つの第１翼部が形成され、第１凹溝が２つの第１嵌合部を形成し、且つ第１支持部が２つの第１翼部の間に位置し、且つ第１連接部に緊密に当接されると共に、前記第２桁材が２つの第２外板体、第２連接部、第２内板体を備え、そのうち、各第２外板体が垂直に交わる複数の第２凹溝と複数の第２折線を含み、第２連接部が２つの第２外板体の間に位置し、且つ２つの第２外板体を連接しており、第２内板体がいずれか１つの第２外板体に連接され、前記第２内板体を第２外板体に向かって折り曲げて第２支持部が形成され、第２外板体を第２折線に沿って折り曲げて２つの第２翼部が形成され、第２凹溝が２つの第２嵌合部を形成し、且つ第２支持部が２つの第２翼部の間に位置し、且つ第２連接部に緊密に当接され、第１嵌合部と第２嵌合部が相互に嵌合されて第１桁材と第２桁材が垂直に位置決めされる。ここでいう第１桁材と第２桁材の垂直の位置決めとは、第１桁材と第２桁材の間が直角を成していることを指すが、実際の実施時、第１桁材と第２桁材の間は実際の設計及び工程に応じて９０°に近い直角でない角度にしてもよい。前述の垂直に交わるとは、凹溝と折線の夾角が直角の方式で相互に交わることを指すが、実際の実施時、凹溝と折線は実際の設計及び工程に応じて９０°に近い直角でない角度で相互に交わってもよい。そのうち、垂直に関する叙述は前述のとおりであり、実際の設計及び工程に応じて９０°に近い直角でない角度も含む。
【発明の効果】
【０００７】
本発明の紙製パレットは、Ｘ軸、Ｙ軸方向でそれぞれ製作され、完成後使用時に組み立てられ、構造が簡単なだけでなく、積載能力に優れているという特性を備えている。このほか、本発明は単に複数の第１桁材と複数の第２桁材のみから構成され、そのうち、第１桁材と第２桁材はそれぞれ重ねて接着して板を成し、構造が簡単なため機械での連続的な生産が可能であり、使用時には便利に組み立てられるため、製作コストと組み立て時間を節約することができる。さらに、前記第１桁材と第２桁材をそれぞれ折り畳んで第１支持部と第２支持部が形成され、且つ折り畳む過程で結合面に接着剤を塗布して結合を強固にすれば、目に見えない中で紙板の硬度が強化され、前記第１支持部と第２支持部が相当の厚さを備えているため、交差させて組み立てると紙製パレットの強度が高まる。また、防水性と防湿性を兼ね備えることができ、紙製パレットの使用寿命を効果的に高めることができる。
【図面の簡単な説明】
【０００８】
【図１】本発明の実施例１の紙製パレットの立体外観図である。
【図２Ａ】本発明の実施例１の第１桁材の立体外観図である。
【図２Ｂ】本発明の実施例１の第１桁材の立体外観図である。
【図２Ｃ】本発明の実施例１の第１桁材の立体外観図である。
【図２Ｄ】本発明の実施例１の第１桁材の立体外観図である。
【図３Ａ】本発明の実施例１の第２桁材の立体外観図である。
【図３Ｂ】本発明の実施例１の第２桁材の立体外観図である。
【図３Ｃ】本発明の実施例１の第２桁材の立体外観図である。
【図３Ｄ】本発明の実施例１の第２桁材の立体外観図である。
【図４Ａ】本発明の実施例１の紙製パレットの立体分解図である。
【図４Ｂ】本発明の実施例１の紙製パレットの立体分解図である。
【図５Ａ】発明の実施例１の紙製パレットの部分立体外観図であり、固定部材を示す。
【図５Ｂ】本発明の実施例１の第１桁材の外観図であり、固定部材が第１支持部と第１翼部を結合した状態を示す。
【図６Ａ】本発明の実施例１の部分断面図であり、保護層を示す。
【図６Ｂ】本発明の実施例１の部分断面図であり、強化層を示す。
【図７】本発明の実施例２の紙製パレットの立体外観図であり、デッキボードを示す。
【発明を実施するための形態】
【０００９】
以下の発明を実施するための形態で、本発明の詳細な特徴及び利点を詳細に説明する。その内容は当業者が本発明の技術内容を理解してこれに基づき実施するに足るものであり、且つ本明細書で開示する内容、特許請求の範囲、図面によれば、あらゆる当業者が本発明の関連の目的及び利点を軽易に理解できるであろう。
【実施例１】
【００１０】
図１に示すように、本発明の実施例１の紙製パレットは、主に、複数の第１桁材２と複数の第２桁材４から構成され、前記第１桁材２と第２桁材４は相互に垂直に設置され、そのうち、前記第１桁材２と第２桁材４の材質はダンボール紙、クラフト紙、再生紙等とすることができるが、前記材質の種類は単なる例示であり、本発明はこれに限定されない。
【００１１】
図２Ａから図２Ｄに示すように、第１桁材２は主に２つの第１外板体２１、第１連接部２３、第１内板体２５から構成される。
【００１２】
第１外板体２１は、第１外板体２１の中間箇所に複数の第１凹溝２１１と複数の第１折線２１３が設けられ、そのうち前記第１凹溝２１１の形状は矩形としてもよく、前記矩形の長辺が第１折線２１３と垂直に交わる。
【００１３】
第１連接部２３は前記２つの第１外板体２１の間に位置し、前記２つの第１外板体２１を連接する。
【００１４】
第１内板体２５は、いずれか１つの第１外板体２１に連接される。
【００１５】
第１内板体２５を第１外板体２１に向かって折り畳むとき第１支持部２５ａが形成され、第１外板体２１を第１折線２１３に沿って折り曲げると２つの第１翼部２１ａが形成され、第１外板体２１の第１凹溝２１１がＵ字形切欠の第１嵌合部２１１ａを形成する。そのうち、第１支持部２５ａは２つの第１翼部２１ａの間に位置し、且つ第１連接部２３に緊密に当接される。
【００１６】
図３Ａから図３Ｄに示すように、第２桁材４は主に２つの第２外板体４１、第２連接部４３、第２内板体４５から構成される。
【００１７】
第２外板体４１は、第２外板体４１の中間箇所に複数の第２凹溝４１１と複数の第２折線４１３が設けられ、そのうち、前記第２凹溝４１１の形状は矩形としてもよく、前記矩形の長辺が第２折線４１３と垂直に交わる。
【００１８】
第２連接部４３は、前記２つの第２外板体４１の間に位置し、２つの第２外板体４１を連接する。
【００１９】
第２内板体４５は、いずれか１つの第２外板体４１に連接される。
【００２０】
第２内板体４５を第２外板体４１に向かって折り畳むと、第２支持部４５ａが形成され、第２外板体４１を第２折線４１３に沿って折り曲げると、２つの第２翼部４１ａが形成され、第２外板体４１の第２凹溝４１１が逆Ｕ字形切欠の第２嵌合部４１１ａを形成する。そのうち、第２支持部４５ａは２つの第２翼部４１ａの間に位置し、且つ第２連接部４３に緊密に当接される。そのうち、図４Ａと図４Ｂに示すように、第１嵌合部２１１ａと第２嵌合部４１１ａが相互に嵌合され、第１桁材２と第２桁材４を垂直に位置決めし、これにより格子状の間隙を備えた紙製パレットが構成される。
【００２１】
そのうち、複数の第２桁材４はさらに複数の第２槽部４１５を含み、第２槽部４１５は、第２凹溝４１１に相隣し、前記第２槽部４１５の形状は矩形であり、第２槽部４１５の短辺長さが第２凹溝４１１の長辺長さに対応し、且つ第２槽部４１５の短辺が第２折線４１３に垂直である。そのうち、第２外板体４１を第２折線４１３に沿って折り曲げると、第２槽部４１５が第２固定槽４１５ａを形成し、前記第２固定槽４１５ａはフォークリフトのフォークを挿入して紙製パレットを載せて移動するために供することができる。このほか、本実施例において、前記第１桁材２もフォークリフトのフォーク挿入に供する複数の第１固定槽を形成する第１槽部（図示しない）を備えてもよい。
【００２２】
前述の説明において、第１桁材２と第２桁材４はそれぞれ単一の板体であるが、このような単一板体の構造は単なる例を挙げたまでであり、本発明はこれに限定されず、複数の小さい板体を折り畳んで接着したものでもよい。
【００２３】
このほか、本実施例において、図５Ａに示すように、複数の第１固定部材２７で第１翼部２１ａと第１支持部２５ａを結合して位置決めしてもよく、かつ複数の第２固定部材４７で第２翼部４１ａと第２支持部４５ａを結合して位置決めしてもよい。図５Ｂに示すように、前記第１固定部材２７と第２固定部材４７の種類は金属またはプラスチックのリベットやカシメ、ホチキス針等としてもよい。ただし、前記第１固定部材２７と第２固定部材４７の種類は単なる例示であり、本発明はこれに限定されない。このほか、前記第１翼部２１ａと第１支持部２５ａまたは第２翼部４１ａと第２支持部４５ａは、接着剤で結合して位置決めしてもよく、そのうち前記接着剤の種類は、樹脂、ホットメルト接着剤、コールドグルー等としてもよい。ただし、前記接着剤の種類は単なる例示であり、本発明はこれに限定されない。
【００２４】
また、前記第１桁材２と第２桁材４の表面には防水性・撥水性を備えた保護層７を塗布してもよく（図６Ａ参照）、例えば防水材料を塗布して、紙製パレットが湿気を受けて軟化するのを防止することができる。そのうち、前記保護層は能為防水性・撥水性・疎水性のワックス膜やその他撥水剤としてもよいが、前記保護層の材質は単なる例示であり、本発明はこれに限定されない。
【００２５】
このほか、第１桁材２、第２桁材４とデッキボード６の表面には強化層９を設けてもよく（図６Ｂ参照）、例えば硬化紙ボードやＰＵ保護層ボードなどを表面硬度の増加に用いることができる。そのうち、前記強化層９は第１桁材２、第２桁材４、デッキボード６の表面にボードを貼付して形成したり、或いはホットメルト接着剤を塗布して形成してもよいが、前記強化層の材質は単なる例示であり、本発明はこれに限定されない。前記強化層は第１桁材２、第２桁材４、デッキボード６の表面強度を高め、物品８や地面と接触して摩擦を生じることによる破損の発生を減少し、紙製パレットの使用寿命を向上することができる。
【実施例２】
【００２６】
図７に本発明の実施例２の紙製パレット１を示す。本実施例の紙製パレット１は実施例１と似ているが、本実施例の紙製パレット１はさらにデッキボード６を備え、前記デッキボード６の材質はダンボール紙、クラフト紙、再生紙等とすることができるが、前記材質の種類は単なる例示であり、本発明はこれに限定されない。
【００２７】
第１桁材２と第２桁材４は相互に垂直に位置決めされて格子状の間隙を備えたデッキ座部１ａを形成し、デッキボード６をデッキ座部１ａの上に置いて、その上に物品８を積載することができ、物品８の大きさがデッキ座部１ａの格子状の間隙より小さいために地面に落下してしまうということがない。前記デッキボード６はデッキ座部１ａの上に直接置いたり、或いは実施例１で開示した接着剤を使用してデッキ座部１ａとデッキボード６を接着して位置決めしてもよい。
【００２８】
以上の説明に基づき、本発明は構造が簡単で積載能力に優れた紙製パレットを提供するものであり、前記紙製パレットは複数の第１桁材と複数の第２桁材のみから構成され、構造が簡単で製作と組み立てが容易であるため、製作組み立ての時間とコストを節約することができる。さらに、前記第１桁材と第２桁材はそれぞれ折り畳まれ、折り畳みの過程において順次、順序に従ってＰＵ、ＰＥから成る接着剤を加えると、折り畳んだ後の板片に硬度を持たせることができ、このように例えば第１支持部と第２支持部を形成すると、前記第１支持部と第２支持部に相当の厚さと接着後の強度が備わるため、紙製パレットの強度を高めることができ、本発明の紙製パレットに物品を積載したとき、紙製パレットが物品の重量を受けて潰れたり、変形して破損したりしにくくなるため、紙製パレットの使用寿命を効果的に高めることができる。このほか、本発明は機械で連続的に大量生産することができ、直接組み立てた後使用場所へと輸送したり、或いは大量生産した第１桁材と第２桁材を使用場所まで輸送した後、使用時に組み立てを行ったりすることができ、簡単且つ便利である。
【００２９】
本発明の技術内容について最良の実施例を挙げ上述のように説明したが、上述の説明は本発明を限定するものではなく、当業者であれば本発明の要旨を逸脱せずにいくらかの変更と修飾が可能であり、それらはすべて本発明の範疇内に含まれるであろう。このため、本発明の保護範囲は後付の特許請求の範囲に準じる。
【符号の説明】
【００３０】
１        紙製パレット
１ａ      デッキ座部
２        第１桁材
２１      第１外板体
２１ａ    第１翼部
２１１    第１凹溝
２１１ａ  第１嵌合部
２１３    第１折線
２１５    第１槽部
２１５ａ  第１固定槽
２３      第１連接部
２５      第１内板体
２５ａ    第１支持部
２７      第１固定部材
４        第２桁材
４１      第２外板体
４１ａ    第２翼部
４１１    第２凹溝
４１１ａ  第２嵌合部
４１３    第２折線
４１５    第２槽部
４１５ａ  第２固定槽
４３      第２連接部
４５      第２内板体
４５ａ    第２支持部
４７      第２固定部材
６        デッキボード
７        保護層
８        物品
９        強化層
【図１】
0005190530.tif 000002
【図２Ａ】
0005190530.tif 000003
【図２Ｂ】
0005190530.tif 000004
【図２Ｃ】
0005190530.tif 000005
【図２Ｄ】
0005190530.tif 000006
【図３Ａ】
0005190530.tif 000007
【図３Ｂ】
0005190530.tif 000008
【図３Ｃ】
0005190530.tif 000009
【図３Ｄ】
0005190530.tif 000010
【図４Ａ】
0005190530.tif 000011
【図４Ｂ】
0005190530.tif 000012
【図５Ａ】
0005190530.tif 000013
【図５Ｂ】
0005190530.tif 000014
【図６Ａ】
0005190530.tif 000015
【図６Ｂ】
0005190530.tif 000016
【図７】
0005190530.tif 000017